(57)【要約】【課題】指輪をはめるときに関節を通りやすくし、装着されているときに指輪が回転しにくくし、更に指輪の審美性を高くする。【解決手段】指輪１は、環状の環状部１０を有する。環状部１０は、Ｙ軸に対して対称であり、Ｘ軸に対して非対象である。環状部１０の内周面１１の上側と下側は、それぞれＹ軸と垂直に交わっており、外側に凸である。内周面１１において、上側がＹ軸と垂直に交わる位置とＸ軸に沿う方向における幅である横幅が最大となる位置とのＹ軸に沿う方向の間隔は、上側がＹ軸と垂直に交わる位置と下側がＹ軸と垂直に交わる位置との間隔である縦の最大の間隔ｈの３分の１である。ただし、この間隔は、縦の最大の間隔ｈの５分の２以下であればよい。内周面１１は、最大の横幅ａから、上側から下側に向かって横幅が徐々に狭くなる。内周面１１の下側がＹ軸と垂直に交わる位置を含む所定の部分の曲率は、最大の横幅ａを直径とする円の曲率以下である。【選択図】図１
2018011782.tif 000002
【特許請求の範囲】
【請求項１】
所定の縦軸に対して対称である環状の環状部を備え、
前記環状部の内周面において、
第１の側と当該第１の側に対向する第２の側とが、それぞれ前記縦軸と交わっており、外側に凸であり、
前記第１の側が前記縦軸と交わる位置と前記縦軸に垂直な方向における幅である横幅が最大となる位置との前記縦軸に沿う方向の間隔が、前記第１の側が前記縦軸と交わる位置と前記第２の側が前記縦軸と交わる位置との間隔である縦の最大の間隔の５分の２以下であり、
前記最大の横幅から、前記第１の側から前記第２の側に向かって横幅が徐々に狭くなり、
前記第２の側が前記縦軸と交わる位置を含む所定の部分の曲率が、前記最大の横幅を直径とする円の曲率以下である、
ことを特徴とする指輪。
【請求項２】
前記環状部の内周面において、前記第１の側が前記縦軸と交わる位置と前記横幅が最大となる位置との前記縦軸に沿う方向の間隔が、前記縦の最大の間隔の３分の１以下であることを特徴とする請求項１に記載の指輪。
【請求項３】
前記環状部の内周面において、前記第２の側が前記縦軸と交わる位置を含む所定の部分が平らであることを特徴とする請求項１または２に記載の指輪。
【請求項４】
前記環状部の内周面において、前記縦の最大の間隔が前記最大の横幅よりも大きいことを特徴とする請求項１ないし３のいずれか１項に記載の指輪。
【請求項５】
前記環状部の外周面の横幅が、当該外周面の最大の横幅から、前記第１の側から前記第２の側に向かって徐々に狭くなることを特徴とする請求項１ないし４のいずれか１項に記載の指輪。
【請求項６】
前記環状部の外周面の第１の側が前記縦軸と交わる位置に、装飾部を備えることを特徴とする請求項１ないし５のいずれか１項に記載の記載の指輪。
【発明の詳細な説明】
【技術分野】
【０００１】
本発明は、装着性と審美性の高い指輪に関する。
【背景技術】
【０００２】
特許文献１には、内周面の形状が楕円形である指輪が記載されている。指の関節の形状は横長の楕円形である。特許文献１に記載の指輪をはめるとき、第２関節では指輪を横向きにして指輪の内周の長軸を関節の長軸と一致させて通し、第２関節を通過した後に９０度回転させて配置する。指輪の内周の短軸は関節の長軸より短いため、指輪が抜け落ちにくくなる。
【０００３】
特許文献２には、内周の形が指の断面に近く、角の丸い四辺形である指輪が記載されている。この形状により、装着されているとき、指輪が回転するのを妨ぐことができる。更に、特許文献２には、側面の２辺の外側中央に円弧状の窪み部を設けることにより、隣りの指への圧迫を少なくすることが記載されている。
【０００４】
特許文献３には、指の腹に当たる下の部分を、平らまたは指輪の直径よりも大きな直径の円弧状、あるいはそれらに近い形状とした指輪が記載されている。この指輪は下の部分の形状が指の腹の形状と一致するため、装着されているとき、指輪が回転するのを妨ぐことができる。
【先行技術文献】
【特許文献】
【０００５】
【特許文献１】特開平８−１６８４０５号公報
【特許文献２】国際公開ＷＯ２００４／０６６７７４号パンフレット
【特許文献３】実開平５−７４３１０号公報
【発明の概要】
【発明が解決しようとする課題】
【０００６】
特許文献１に記載されている指輪は、指輪をはめるときに関節を容易に通すことができる。しかし、装着されているとき、指輪が回転しやすい。
特許文献２と特許文献３に記載されている指輪は、装着されているとき、指輪が回転するのを妨ぐことができる。また、特許文献２に記載の指輪は四辺形の対角線が関節の長軸と一致するように指輪を傾けることで関節を通りやすくすることができると考えられる。
しかし、特許文献２に記載の指輪は、装着位置において指の側面を四辺形の対向する２辺で挟み込むため、挟み込まれた部分の指の肉が窪み、指輪が指に食い込んでいるように見える。これは、指輪がはめられた指を見る人に不快感を与え、指輪の審美性を低下させるおそれがある。
【０００７】
本発明の目的は、はめるときに関節を容易に通すことができ、装着されているときに回転しにくく、しかも審美性の高い指輪を提供することである。
【課題を解決するための手段】
【０００８】
上記目的を達成するために、本発明の指輪は、
所定の縦軸に対して対称である環状の環状部を備え、
前記環状部の内周面において、
第１の側と当該第１の側に対向する第２の側とが、それぞれ前記縦軸と交わっており、外側に凸であり、
前記第１の側が前記縦軸と交わる位置と前記縦軸に垂直な方向における幅である横幅が最大となる位置との前記縦軸に沿う方向の間隔が、前記第１の側が前記縦軸と交わる位置と前記第２の側が前記縦軸と交わる位置との間隔である縦の最大の間隔の５分の２以下であり、
前記最大の横幅から、前記第１の側から前記第２の側に向かって横幅が徐々に狭くなり、
前記第２の側が前記縦軸と交わる位置を含む所定の部分の曲率が、前記最大の横幅を直径とする円の曲率以下である、
ことを特徴とする。
【０００９】
好ましくは、本発明の指輪は、
前記環状部の内周面において、前記第１の側が前記縦軸と交わる位置と前記横幅が最大となる位置との前記縦軸に沿う方向の間隔が、前記縦の最大の間隔の３分の１以下であることを特徴とする。
【００１０】
好ましくは、本発明の指輪は、
前記環状部の内周面において、前記第２の側が前記縦軸と交わる位置を含む所定の部分が平らであることを特徴とする。
【００１１】
好ましくは、本発明の指輪は、
前記環状部の内周面において、前記縦の最大の間隔が前記最大の横幅よりも大きいことを特徴とする。
【００１２】
好ましくは、本発明の指輪は、
前記環状部の外周面の横幅が、当該外周面の最大の横幅から、前記第１の側から前記第２の側に向かって徐々に狭くなることを特徴とする。
【００１３】
好ましくは、本発明の指輪は、
前記環状部の外周面の第１の側が前記縦軸と交わる位置に、装飾部を備えることを特徴とする。
【発明の効果】
【００１４】
本発明によれば、指輪をはめるときに関節を通りやすくすることができ、装着されているときに指輪を回転しにくくすることができ、更に指輪の審美性を高くすることができる。
【図面の簡単な説明】
【００１５】
【図１】本発明の実施形態に係る指輪の一例を示す図である。図１（Ａ）は指輪の上面図である。図１（Ｂ）は指輪の正面図である。
【図２】図１の指輪の環状部における内周面と円との比較を示す図である。
【図３】内周面の下側に平らな部分を有する指輪の一例を示す図である。
【図４】図１の指輪の環状部における内周面と円との比較を示す図である。
【図５】本発明の実施形態に係る指輪の変形例を示す図である。
【図６】内周面の下側が指の腹側の肉を挟み込む一例を示す図である。
【図７】内周面の上側に形成される広い部分に逃げる指の甲側の肉の一例を示す図である。
【図８】環状部における外周面と円との比較を示す図である。
【図９】環状部と装飾部を有する指輪の一例を示す図である。
【発明を実施するための形態】
【００１６】
以下、本発明の実施形態に係る指輪について図面を参照しながら詳細に説明する。なお、実施形態を説明する全図において、共通の構成要素には同一の符号を付し、繰り返しの説明を省略する。
【００１７】
図１は、本発明の実施形態に係る指輪１の一例を示す。
指輪１は、環状部１０を有する。環状部１０は、Ｙ軸に対して対称である。すなわち、環状部１０の内周面１１および外周面１２は、それぞれＹ軸に対して対称である。Ｘ軸はＹ軸と垂直である。環状部１０は、Ｘ軸に対して非対称である。すなわち、環状部１０の内周面１１および外周面１２は、それぞれＸ軸に対して非対称である。なお、Ｙ軸は本発明の縦軸の一例である。
環状部１０の内周面１１において、上側と下側は、それぞれＹ軸と垂直に交わる。そして、上側と下側は、それぞれ外側に凸である。すなわち、上側は上方に凸であり、下側は下方に凸である。ここで、内周面１１の上側が曲面である場合、「上側がＹ軸と垂直に交わる」とは、内周面１１の上側とＹ軸との交点における接線がＹ軸と垂直であることをいう。言い換えると、内周面１１の縦断面の上側が曲線である場合、内周面１１の縦断面の上側の曲線とＹ軸との交点における接線がＹ軸と垂直であることをいう。下側についても同様である。なお、上側は本発明の第１の側の一例であり、下側は本発明の第２の側の一例である。
【００１８】
内周面１１の上側がＹ軸と垂直に交わる位置と内周面１１の下側がＹ軸と垂直に交わる位置との間隔（以下、内周面１１の縦の最大の間隔という。）をｈとすると、図１に示す指輪１の例では、Ｘ軸に沿う方向の内周面１１の幅（以下、内周面１１の横幅という。）が最大の横幅ａとなる位置と内周面１１の上側がＹ軸と垂直に交わる位置とのＹ軸に沿う方向の間隔はｈ／３（ｈの３分の１）である。
ここで、本発明の効果を奏するためには、内周面１１の横幅が最大の横幅ａとなる位置と内周面１１の上側がＹ軸と垂直に交わる位置とのＹ軸に沿う方向の間隔は、２ｈ／５（ｈの５分の２）以下であればよい。ただし、その間隔はｈ／３（ｈの３分の１）以下であることが望ましい。
そして、内周面１１の横幅は、最大の横幅ａから、上側から下側に向かって徐々に狭くなる。
【００１９】
指輪１は、縦の最大の間隔ｈと最大の横幅ａが等しい指輪の例である。図２は、指輪１の環状部１０における内周面１１と直径ａ（＝ｈ）の円１３との比較を示す。内周面１１において、下側がＹ軸と垂直に交わる位置を含む所定の部分１１ａの曲率は円１３の曲率以下である。すなわち、部分１１ａは円１３と同じ曲がり具合か、または円１３よりも曲がり具合がゆるい曲面である。部分１１ａのＸ軸に沿う方向の幅は、例えば４ｍｍ以上１０ｍｍ以下である。なお、円１３の曲率は、円の半径（内周面１１の最大の横幅ａの半分）の長さの逆数である。
ただし、図３に示すように、下側がＹ軸と垂直に交わる位置を含む所定の部分１１ｂは平らな面であってもよい。すなわち、円１３よりも曲率が小さい面には平面が含まれるものとする。部分１１ｂのＸ軸に沿う方向の幅は、例えば４ｍｍ以上１０ｍｍ以下である。
同様に、内周面１１において、上側がＹ軸と垂直に交わる位置を含む所定の部分の曲率は円１３の曲率よりも小さい。すなわち、この部分は円１３よりも曲がり具合がゆるい曲面である。なお、この部分は平らな面であってもよい。
【００２０】
図４に示すように、内周面１１の斜め方向の間隔は、内周面１１の最大の横幅ａ（円１３の直径ａ）よりも長さｂだけ大きい。このため、指輪１は、はめるときに斜めに傾けることで指の関節を通りやすくすることができる。
【００２１】
環状部１０の外周面１２の形状も内周面１１と同様である。
環状部１０の外周面１２において、上側と下側は、それぞれＹ軸と垂直に交わる。そして、上側と下側は、それぞれ外側に凸である。すなわち、上側は上方に凸であり、下側は下方に凸である。
Ｘ軸に沿う方向の外周面１２の横幅は、最大の横幅から、上側から下側に向かって徐々に狭くなる。
【００２２】
外周面１２において、下側がＹ軸と垂直に交わる位置を含む所定の部分の曲率は、外周面１２の最大の横幅と同じ直径を有する円（以下、外周円という。）の曲率以下である。すなわち、この所定の部分は外周円と同じ曲がり具合か、または外周円よりも曲がり具合がゆるい曲面である。
ただし、外周面１２において、下側がＹ軸と垂直に交わる位置を含む所定の部分は平らな面であってもよい。すなわち、外周円よりも曲率が小さい面には平面が含まれるものとする。
同様に、外周面１２において、上側がＹ軸と垂直に交わる位置を含む所定の部分の曲率は外周円の曲率よりも小さい。すなわち、この部分は外周円よりも曲がり具合がゆるい曲面である。なお、この部分は平らな面であってもよい。
【００２３】
図５は、指輪１の変形例である指輪２を示す。指輪２は、内周面１１の縦の最大の間隔が内周面１１の最大の横幅ａ（円１３の直径ａ）よりも長さｃだけ大きい。すなわち、指輪２の内周面１１は縦長である。このため、指輪２ははめるときに横向きにすることで指の関節を通りやすくすることができる。
指輪２は、後述する効果も指輪１と同様に有する。
【００２４】
指の腹側の肉は柔らかい。このため、装着位置において指輪１の下側が指の腹側を向いているとき、図６に示すように、指の腹側の肉１４が指輪１の下側の形状に合わせて変形し、指輪１の下側の部分が指の腹側の肉１４を挟み込む。このため、装着位置において指輪１は回転しにくい。
更に、図３に示すように、内周面１１の下側がＹ軸と垂直に交わる位置を含む所定の部分１１ｂを平らな面とすることにより、指輪１をより回転しにくくすることができる。
【００２５】
図７は、内周面１１の上側に形成される広い部分に逃げる指の甲側の肉１５の一例を示す。
環状部１０の内周面１１の上側は横幅が広くて平らに近い形状であるため、上側の広い部分に指の甲側の肉１５が逃げることができる。環状部１０は上側から下側に向かって徐々に狭くなり、図６に示したように内周面１１の下側の部分が指の腹側の肉１４を挟み込む。しかし、上側から見ると、環状部１０は指に食い込んでいるように見えず、見た目が良い。特に、握りこぶしを作ると、指の甲側の肉１５は平らな状態になるが、これを内周面１１の上側の広い部分に逃がすことができる。このため、指輪がはめられた指を指の甲側から見た場合に見た目が良く、指輪の審美性が向上する。
【００２６】
外周面１２の横幅は、最大の横幅から、上側から下側に向かって徐々に狭くなる。このため、図８に示すように、徐々に狭くなる外周面１２の側面１２ａと側面１２ｂは、外周円１６の内側に位置する。
外周が円である指輪は、その指輪をした状態で手を強く握りしめると、隣接した指に外周が食い込み、指輪の装着者が痛みを感じるおそれがある。外周面１２は、その横幅が上側から下側に向かって徐々に狭くなる形状であるため、隣接した指への側面１２ａと側面１２ｂの食い込みが少ない。このため、指輪１の装着者は痛みを感じにくい。
なお、特許文献２には、側面の２辺の外側中央に円弧状の窪み部を設けることにより、隣りの指への圧迫を少なくすることが記載されているが、本実施形態に係る指輪１によれば、窪み部が無くても隣りの指への圧迫を少なくすることができる。
【００２７】
図９は、環状部１０と装飾部１７を有する指輪３の一例を示す。環状部１０は指輪１のものであってもよいし、指輪２のものであってもよい。また、装飾部１７は宝石等を含んでもよい。
指輪３が装飾部１７を有する場合、装着位置において回転しにくいことはより一層重要である。環状部１０の外周面１２の上側がＹ軸と垂直に交わる位置に装飾部１７を配置すると、環状部１０がＹ軸に対して対象であるところ、装飾部１７の重量はＹ軸に沿って環状部１０にかかる。この場合、装飾部１７を有していても指輪３は回転しにくい。
【００２８】
以上説明したように、本発明によれば、指輪をはめるときに関節を通りやすくすることができ、装着されているときに指輪を回転しにくくすることができ、更に指輪の審美性を高くすることができる。
【００２９】
以上、本発明の実施形態について説明したが、製造上の都合やその他の要因によって必要となる様々な修正や組み合わせは、請求項に記載されている発明や発明の実施形態に記載されている具体例に対応する発明の範囲に含まれる。
【符号の説明】
【００３０】
１，２，３…指輪、１０…環状部、１１…内周面、１１ａ…内周面の下側における曲率が小さな部分、１１ｂ…内周面の下側における平らな部分、１２…外周面、１２ａ，１２ｂ…外周面の側面、１３…内周面における最大の横幅と同じ直径の円、１４…指の腹側の肉、１５…指の甲側の肉、１６…外周面における最大の横幅と同じ直径の外周円、１７…装飾部
【図１】
2018011782.tif 000003
【図２】
2018011782.tif 000004
【図３】
2018011782.tif 000005
【図４】
2018011782.tif 000006
【図５】
2018011782.tif 000007
【図６】
2018011782.tif 000008
【図７】
2018011782.tif 000009
【図８】
2018011782.tif 000010
【図９】
2018011782.tif 000011
【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
所定の縦軸に対して対称である環状の環状部を備え、
前記環状部の内周面において、
第１の側と当該第１の側に対向する第２の側とが、それぞれ前記縦軸と交わっており、外側に凸であり、
前記第１の側が前記縦軸と交わる位置と前記縦軸に垂直な方向における幅である横幅が最大となる位置との前記縦軸に沿う方向の間隔が、前記第１の側が前記縦軸と交わる位置と前記第２の側が前記縦軸と交わる位置との間隔である縦の最大の間隔の５分の２以下であり、
前記最大の横幅から、前記第１の側から前記第２の側に向かって横幅が徐々に狭くなり、
前記第２の側が前記縦軸と交わる位置を含む所定の部分が平らである、
ことを特徴とする指輪。
【請求項２】
前記環状部の内周面において、前記第１の側が前記縦軸と交わる位置と前記横幅が最大となる位置との前記縦軸に沿う方向の間隔が、前記縦の最大の間隔の３分の１以下であることを特徴とする請求項１に記載の指輪。
【請求項３】
前記環状部の内周面において、前記第１の側が前記縦軸と交わる位置を含む所定の部分が平らであることを特徴とする請求項１または２に記載の指輪。
【請求項４】
前記環状部の外周面の横幅が、当該外周面の最大の横幅から、前記第１の側から前記第２の側に向かって徐々に狭くなることを特徴とする請求項１ないし３のいずれか１項に記載の指輪。
【請求項５】
前記環状部の外周面の第１の側が前記縦軸と交わる位置に、装飾部を備えることを特徴とする請求項１ないし４のいずれか１項に記載の記載の指輪。
【手続補正２】
【補正対象書類名】明細書
【補正対象項目名】０００８
【補正方法】変更
【補正の内容】
【０００８】
上記目的を達成するために、本発明の指輪は、
所定の縦軸に対して対称である環状の環状部を備え、
前記環状部の内周面において、
第１の側と当該第１の側に対向する第２の側とが、それぞれ前記縦軸と交わっており、外側に凸であり、
前記第１の側が前記縦軸と交わる位置と前記縦軸に垂直な方向における幅である横幅が最大となる位置との前記縦軸に沿う方向の間隔が、前記第１の側が前記縦軸と交わる位置と前記第２の側が前記縦軸と交わる位置との間隔である縦の最大の間隔の５分の２以下であり、
前記最大の横幅から、前記第１の側から前記第２の側に向かって横幅が徐々に狭くなり、
前記第２の側が前記縦軸と交わる位置を含む所定の部分が平らである、
ことを特徴とする。
【手続補正３】
【補正対象書類名】明細書
【補正対象項目名】００１０
【補正方法】変更
【補正の内容】
【００１０】
好ましくは、本発明の指輪は、
前記環状部の内周面において、前記第１の側が前記縦軸と交わる位置を含む所定の部分が平らであることを特徴とする。
【手続補正４】
【補正対象書類名】明細書
【補正対象項目名】００１１
【補正方法】削除
【補正の内容】